(57)【要約】【課題】表示部が、第１の筺体に支持機構を介して、縦長状態と横長状態とに切換操作自在に支持された折畳み式携帯端末において、縦長状態及び横長状態にある表示部のぐらつきをなくす。【解決手段】液晶表示部２が縦長状態にあるとき及び横長状態にあるときに、液晶表示部２と第１の筐体３とを磁力により保持する。例えば、第１の筐体３に筐体側第１磁石３１を設け、液晶表示部２に表示部側第１及び第２磁石３３，３４をそれぞれ設ける。液晶表示部２が縦長状態にあるときに、筐体側第１磁石３１と表示部側第１磁石３３とが重なり合う位置になり、液晶表示部２が横長状態にあるときに、筐体側第１磁石３１と表示部側第２磁石３４とが重なり合う位置になるようにする。【選択図】図６
2008211447.tif 000002
【特許請求の範囲】
【請求項１】
表面に表示部が設けられた第１の筺体と、
表面に操作部を有する第２の筺体と、
上記第１の筺体と第２の筺体とを折畳み開閉自在に連結するヒンジ部を備え、
上記表示部が、上記第１の筺体に支持機構を介して、縦長状態と横長状態とに切換操作自在に支持された折畳み式携帯端末であって、
上記表示部が縦長状態にあるとき、及び横長状態にあるときに、該表示部と上記第１の筐体とが磁力により保持されるように構成されている
ことを特徴とする折畳み式携帯端末。
【請求項２】
請求項１に記載の折畳み式携帯端末において、
上記第１の筐体には、筐体側磁石が設けられ、
上記表示部には、表示部側第１及び第２磁石がそれぞれ設けられ、
上記表示部が縦長状態にあるときに、筐体側磁石と表示部側第１磁石とが重なり合う位置になり、
上記表示部が横長状態にあるときに、筐体側磁石と表示部側第２磁石とが重なり合う位置になるように構成されている
ことを特徴とする折畳み式携帯端末。
【請求項３】
請求項２に記載の折畳み式携帯端末において、
上記筐体側磁石、表示部側第１及び第２磁石は、永久磁石で構成されている
ことを特徴とする折畳み式携帯端末。
【請求項４】
請求項２又は３に記載の折畳み式携帯端末において、
上記表示部は、正面から見て時計回りに回転自在に構成され、
上記筐体側磁石は、第１の筐体の正面から見て略下部中央に配置され、
上記表示部側第１磁石は、縦長状態の表示部の正面から見て略下部中央に配置され、
上記表示部側第２磁石は、縦長状態の表示部の正面から見て略右側面中央に配置されている
ことを特徴とする折畳み式携帯端末。
【請求項５】
請求項２又は３に記載の折畳み式携帯端末において、
上記表示部は、正面から見て反時計回りに回転自在に構成され、
上記筐体側磁石は、第１の筐体の正面から見て略下部中央に配置され、
上記表示部側第１磁石は、縦長状態の表示部の正面から見て略下部中央に配置され、
上記表示部側第２磁石は、縦長状態の表示部の正面から見て略左側面中央に配置されている
ことを特徴とする折畳み式携帯端末。
【請求項６】
請求項２乃至５のいずれか１つに記載の折畳み式携帯端末において、
上記筐体側磁石、表示部側第１及び第２磁石は、外周の一部が弾性部材で覆われている
ことを特徴とする折畳み式携帯端末。
【請求項７】
請求項６に記載の折畳み式携帯端末において、
上記筐体側磁石は、上記第１の筺体に設けた筐体側凹部に上記弾性部材を圧入するように挿入され、
上記表示部側第１及び第２磁石は、上記表示部に設けた表示部側凹部に上記弾性部材を圧入するように挿入されている
ことを特徴とする折畳み式携帯端末。
【請求項８】
請求項７に記載の折畳み式携帯端末において、
上記弾性部材は、ゴムである
ことを特徴とする折畳み式携帯端末。
【請求項９】
請求項１に記載の折畳み式携帯端末において、
上記第１の筐体には、筐体側強磁性体が設けられ、
上記表示部には、表示部側第１及び第２磁石がそれぞれ設けられ、
上記表示部が縦長状態にあるときには、筐体側強磁性体と表示部側第１磁石とが重なり合う位置になり、
上記表示部が横長状態にあるときには、筐体側強磁性体と表示部側第２磁石とが重なり合う位置になるように構成されている
ことを特徴とする折畳み式携帯端末。
【請求項１０】
請求項９に記載の折畳み式携帯端末において、
上記筐体側強磁性体は、鉄で構成され、
上記表示部側第１及び第２磁石は、永久磁石で構成されている
ことを特徴とする折畳み式携帯端末。
【請求項１１】
請求項９又は１０に記載の折畳み式携帯端末において、
上記表示部は、正面から見て時計回りに回転自在に構成され、
上記筐体側強磁性体は、第１の筐体の正面から見て略下部中央に配置され、
上記表示部側第１磁石は、縦長状態の表示部の正面から見て略下部中央に配置され、
上記表示部側第２磁石は、表示部側第２強磁性体は、縦長状態の表示部の正面から見て略右側面中央に配置されている
ことを特徴とする折畳み式携帯端末。
【請求項１２】
請求項９又は１０に記載の折畳み式携帯端末において、
上記表示部は、正面から見て反時計回りに回転自在に構成され、
上記筐体側強磁性体は、第１の筐体の正面から見て略下部中央に配置され、
上記表示部側第１磁石は、縦長状態の表示部の正面から見て略下部中央に配置され、
上記表示部側第２磁石は、縦長状態の表示部の正面から見て略左側面中央に配置されている
ことを特徴とする折畳み式携帯端末。
【請求項１３】
請求項９乃至１２のいずれか１つに記載の折畳み式携帯端末において、
上記筐体側強磁性体、表示部側第１及び第２磁石は、外周の一部が弾性部材で覆われている
ことを特徴とする折畳み式携帯端末。
【請求項１４】
請求項１３に記載の折畳み式携帯端末において、
上記筐体側強磁性体は、上記第１の筺体に設けた筐体側凹部に上記弾性部材を圧入するように挿入され、
上記表示部側第１及び第２磁石は、上記表示部に設けた表示部側凹部に上記弾性部材を圧入するように挿入されている
ことを特徴とする折畳み式携帯端末。
【請求項１５】
請求項１４に記載の折畳み式携帯端末において、
上記弾性部材は、ゴムである
ことを特徴とする折畳み式携帯端末。
【請求項１６】
請求項１に記載の折畳み式携帯端末において、
上記第１の筐体には、筐体側磁石が設けられ、
上記表示部には、表示部側第１及び第２強磁性体がそれぞれ設けられ、
上記表示部が縦長状態にあるときには、筐体側磁石と表示部側第１強磁性体とが重なり合う位置になり、
上記表示部が横長状態にあるときには、筐体側磁石と表示部側第２強磁性体とが重なり合う位置になるように構成されている
ことを特徴とする折畳み式携帯端末。
【請求項１７】
請求項１６に記載の折畳み式携帯端末において、
上記筐体側磁石は、永久磁石で構成され、
上記表示部側第１及び第２強磁性体は、鉄で構成されている
ことを特徴とする折畳み式携帯端末。
【請求項１８】
請求項１６又は１７に記載の折畳み式携帯端末において、
上記表示部は、正面から見て時計回りに回転自在に構成され、
上記筐体側磁石は、第１の筐体の正面から見て略下部中央に配置され、
上記表示部側第１強磁性体は、縦長状態の表示部の正面から見て略下部中央に配置され、
上記表示部側第２強磁性体は、縦長状態の表示部の正面から見て略右側面中央に配置されている
ことを特徴とする折畳み式携帯端末。
【請求項１９】
請求項１６又は１７に記載の折畳み式携帯端末において、
上記表示部は、正面から見て時計回りに回転自在に構成され、
上記筐体側磁石は、第１の筐体の正面から見て略下部中央に配置され、
上記表示部側第１強磁性体は、縦長状態の表示部の正面から見て略下部中央に配置され、
上記表示部側第２強磁性体は、縦長状態の表示部の正面から見て略左側面中央に配置されている
ことを特徴とする折畳み式携帯端末。
【請求項２０】
請求項１６乃至１９のいずれか１つに記載の折畳み式携帯端末において、
上記筐体側磁石、表示部側第１及び第２強磁性体は、外周の一部が弾性部材で覆われている
ことを特徴とする折畳み式携帯端末。
【請求項２１】
請求項２０に記載の折畳み式携帯端末において、
上記筐体側磁石は、上記第１の筺体に設けた筐体側凹部に上記弾性部材を圧入するように挿入され、
上記表示部側第１及び第２強磁性体は、上記表示部に設けた表示部側凹部に上記弾性部材を圧入するように挿入されている
ことを特徴とする折畳み式携帯端末。
【請求項２２】
請求項２１に記載の折畳み式携帯端末において、
上記弾性部材は、ゴムである
ことを特徴とする折畳み式携帯端末。
【請求項２３】
請求項１に記載の折畳み式携帯端末において、
上記第１の筐体には、筐体側第１及び第２磁石が設けられ、
上記表示部には、表示部側磁石が設けられ、
上記表示部が縦長状態にあるときには、上記筐体側第２磁石と表示部側磁石とが重なり合う位置になり、
上記表示部が横長状態にあるときには、上記筐体側第１磁石と表示部側磁石とが重なり合う位置になる
ことを特徴とする折畳み式携帯端末。
【請求項２４】
請求項２３に記載の折畳み式携帯端末において、
上記筐体側第１及び第２磁石と表示部側磁石とは、永久磁石で構成されている
ことを特徴とする折畳み式携帯端末。
【請求項２５】
請求項２３又は２４に記載の折畳み式携帯端末において、
上記表示部は、正面から見て時計回りに回転自在に構成され、
上記筐体側第１磁石は、第１の筐体の正面から見て略下部中央に配置され、
上記筐体側第２磁石は、第１の筐体の正面から見て略右側面上部に配置され、
上記表示部側磁石は、縦長状態にある表示部の正面から見て略下部中央に配置されている
ことを特徴とする折畳み式携帯端末。
【請求項２６】
請求項２３又は２４に記載の折畳み式携帯端末において、
上記表示部は、正面から見て反時計回りに回転自在に構成され、
上記筐体側第１磁石は、第１の筐体の正面から見て略下部中央に配置され、
上記筐体側第２磁石は、第１の筐体の正面から見て略左側面上部に配置され、
上記表示部側磁石は、縦長状態にある表示部の正面から見て略下部中央に配置されている
ことを特徴とする折畳み式携帯端末。
【請求項２７】
請求項２３乃至２６のいずれか１つに記載の折畳み式携帯端末において、
上記筐体側第１及び第２磁石と表示部側磁石とは、外周の一部が弾性部材で覆われている
ことを特徴とする折畳み式携帯端末。
【請求項２８】
請求項２７に記載の折畳み式携帯端末において、
上記筐体側第１及び第２磁石は、上記第１の筺体に設けた筐体側凹部に上記弾性部材を圧入するように挿入され、
上記表示部側磁石は、上記表示部に設けた表示部側凹部に上記弾性部材を圧入するように挿入されている
ことを特徴とする折畳み式携帯端末。
【請求項２９】
請求項２８に記載の折畳み式携帯端末において、
上記弾性部材は、ゴムである
ことを特徴とする折畳み式携帯端末。
【請求項３０】
請求項１に記載の折畳み式携帯端末において、
上記第１の筐体には、筐体側第１強磁性体と筐体側第２強磁性体とが設けられ、
上記表示部には、表示部側磁石が設けられ、
上記表示部が縦長状態にあるときには、上記筐体側第２強磁性体と表示部側磁石とが重なり合う位置になり、
上記表示部が横長状態にあるときには、上記筐体側第１強磁性体と表示部側磁石とが重なり合う位置になる
ことを特徴とする折畳み式携帯端末。
【請求項３１】
請求項３０に記載の折畳み式携帯端末において、
上記筐体側第１強磁性体と筐体側第２強磁性体とは、鉄で構成され、
上記表示部側磁石は、永久磁石で構成されている
ことを特徴とする折畳み式携帯端末。
【請求項３２】
請求項３０又は３１に記載の折畳み式携帯端末において、
上記表示部は、正面から見て時計回りに回転自在に構成され、
上記筐体側第１強磁性体は、第１の筐体の正面から見て略下部中央に配置され、
上記筐体側第２強磁性体は、第１の筐体の正面から見て略右側面上部に配置され、
上記表示部側磁石は、縦長状態にある表示部の正面から見て略下部中央に配置されている
ことを特徴とする折畳み式携帯端末。
【請求項３３】
請求項３０又は３１に記載の折畳み式携帯端末において、
上記表示部は、正面から見て反時計回りに回転自在に構成され、
上記筐体側第１強磁性体は、第１の筐体の正面から見て略下部中央に配置され、
上記筐体側第２強磁性体は、第１の筐体の正面から見て略左側面上部に配置され、
上記表示部側磁石は、縦長状態にある表示部の正面から見て略下部中央に配置されている
ことを特徴とする折畳み式携帯端末。
【請求項３４】
請求項３０乃至３３のいずれか１つに記載の折畳み式携帯端末において、
上記筐体側第１及び第２強磁性体と、表示部側磁石とは、外周の一部が弾性部材で覆われている
ことを特徴とする折畳み式携帯端末。
【請求項３５】
請求項３４に記載の折畳み式携帯端末において、
上記筐体側第１及び第２強磁性体は、上記第１の筺体に設けた筐体側凹部に上記弾性部材を圧入するように挿入され、
上記表示部側磁石は、上記表示部に設けた表示部側凹部に上記弾性部材を圧入するように挿入されている
ことを特徴とする折畳み式携帯端末。
【請求項３６】
請求項３５に記載の折畳み式携帯端末において、
上記弾性部材は、ゴムである
ことを特徴とする折畳み式携帯端末。
【請求項３７】
請求項１に記載の折畳み式携帯端末において、
上記第１の筐体には、筐体側第１及び第２磁石が設けられ、
上記表示部には、表示部側強磁性体が設けられ、
上記表示部が縦長状態にあるときには、上記筐体側磁石と表示部側強磁性体とが重なり合う位置になり、
上記表示部が横長状態にあるときには、上記筐体側第２磁石と表示部側強磁性体とが重なり合う位置になる
ことを特徴とする折畳み式携帯端末。
【請求項３８】
請求項３７に記載の折畳み式携帯端末において、
上記筐体側第１及び第２磁石は、永久磁石で構成され、
上記表示部側強磁性体は、鉄で構成されている
ことを特徴とする折畳み式携帯端末。
【請求項３９】
請求項３７又は３８に記載の折畳み式携帯端末において、
上記表示部は、正面から見て時計回りに回転自在に構成され、
上記筐体側磁石は、第１の筐体の正面から見て略下部中央に配置され、
上記筐体側第２磁石は、第１の筐体の正面から見て略右側面上部に配置され、
上記表示部側強磁性体は、縦長状態にある表示部の正面から見て略下部中央に配置されている
ことを特徴とする折畳み式携帯端末。
【請求項４０】
請求項３７又は３８に記載の折畳み式携帯端末において、
上記表示部は、正面から見て反時計回りに回転自在に構成され、
上記筐体側磁石は、第１の筐体の正面から見て略下部中央に配置され、
上記筐体側第２磁石は、第１の筐体の正面から見て略左側面上部に配置され、
上記表示部側強磁性体は、縦長状態にある表示部の正面から見て略下部中央に配置されている
ことを特徴とする折畳み式携帯端末。
【請求項４１】
請求項３７乃至４０のいずれか１つに記載の折畳み式携帯端末において、
上記筐体側第１及び第２磁石、表示部側強磁性体は、外周の一部が弾性部材で覆われている
ことを特徴とする折畳み式携帯端末。
【請求項４２】
請求項４１に記載の折畳み式携帯端末において、
上記筐体側第１及び第２磁石は、上記第１の筺体に設けた筐体側凹部に上記弾性部材を圧入するように挿入され、
上記表示部側強磁性体は、上記表示部に設けた表示部側凹部に上記弾性部材を圧入するように挿入されている
ことを特徴とする折畳み式携帯端末。
【請求項４３】
請求項４２に記載の折畳み式携帯端末において、
上記弾性部材は、ゴムである
ことを特徴とする折畳み式携帯端末。
【請求項４４】
請求項１乃至４３のいずれか１つに記載の折畳み式携帯端末において、
上記支持機構は、第１の筐体に設けられ左右方向に延びる中凸状に湾曲した曲線状の左右方向ガイド溝と、第１の筐体に設けられ上下方向に延びる上下方向ガイド溝と、表示部の背面に設けられ上記左右方向ガイド溝にスライド自在に係合する第１ガイドピンと、表示部の背面に設けられ上記上下方向ガイド溝にスライド自在に係合する第２ガイドピンとを備えている
ことを特徴とする折畳み式携帯端末。
【請求項４５】
請求項４４に記載の折畳み式携帯端末において、
上記第１の筐体は、上記ヒンジ部の一部を構成する成型品よりなる第１の筐体本体と、該第１の筐体本体に固定され、上記左右方向ガイド溝と上下方向ガイド溝とが形成された板金よりなるガイドプレートとを備えている
ことを特徴とする折畳み式携帯端末。
【請求項４６】
請求項４５に記載の折畳み式携帯端末において、
上記第１の筐体本体は、マグネシウム合金の成型品よりなる
ことを特徴とする折畳み式携帯端末。
【請求項４７】
請求項４４乃至４６のいずれか１つに記載の折畳み式携帯端末において、
上記支持機構には、表示部が縦長状態又は横長状態となるように付勢する付勢部材が設けられ、該付勢部材は表示部の回転の中間点で最も圧縮されるように配置されている
ことを特徴とする折畳み式携帯端末。
【請求項４８】
請求項４７に記載の折畳み式携帯端末において、
上記付勢部材は、ねじりコイルバネである
ことを特徴とする折畳み式携帯端末。
【請求項４９】
請求項４６乃至４８のいずれか１つに記載の折畳み式携帯端末において、
上記表示部は、樹脂製キャビネットに覆われている
ことを特徴とする折畳み式携帯端末。
【請求項５０】
携帯通信機器は、携帯電話機である
ことを特徴とする請求項１乃至４９のいずれか１つに記載の折畳み式携帯端末。
【発明の詳細な説明】
【技術分野】
【０００１】
本発明は、表示部が、第１の筺体に支持機構を介して、縦長状態と横長状態とに切換操作自在に支持された折畳み式携帯端末に関する。
【背景技術】
【０００２】
従来より、例えば、特許文献１に示すように、折畳み式携帯電話機において、通話するときには折畳んだ携帯電話機を開いて通話し、ＴＶ視聴するには表示部を縦長状態から横長状態に切り換えて視聴するものが知られている。このように構成することにより、表示部に最も大きなテレビ画像を表示させた状態でＴＶ視聴が可能になる。
【０００３】
縦長状態から横長状態への切り換えは、ＴＶ画面の表示部を手で縦長状態から横長状態に回転し始め、ある程度回転すれば手を加えなくてもバネの力で切り換えるようにし、反対に横長状態から縦長状態への切り換えは、ＴＶ画面の表示部を手で横長状態から縦長状態に回転し始め、ある程度回転すれば手を加えなくてもバネの力で自然に切り換えるようにしている。
【０００４】
ところで、特許文献２には、磁石を利用した携帯無線機が開示されている。この携帯無線機の上部筐体は、下部筐体の上部にヒンジ部により回転可能に連結されている。上部筐体及び下部筐体には各々磁石が内設され、筐体を閉じた際には、上部筐体及び下部筐体が磁力により引き合い、互いに回転しないように固定される。ヒンジ部内部には、筐体を閉じた状態で筐体が開く方向に磁力が働くように、軸を中心に同じ極性同士（Ｎ極とＮ極、Ｓ極とＳ極）が互いに向き合った磁石が配設されている。スライドボタンを操作すると、磁石を保持している連結具がスライドし、磁石による吸引力が磁石による開く力より小さくなり、上部筐体が回動して携帯無線機が開くように構成されている。このことで、使用者が携帯無線機を片手で簡単に開くことができるようになっている。
【特許文献１】特開２００６−２１１５７６号公報
【特許文献２】特開平７−２０２７８７号公報
【発明の開示】
【発明が解決しようとする課題】
【０００５】
ところで、上記特許文献１の折畳み式携帯端末は、最初ＴＶ画面の表示部を手で縦長状態から横長状態に回転し始め、ある程度回転すれば手を加えなくてもバネの力で自然に切り換えるバネとして、捩りコイルバネが使用されている。ＴＶ画面の表示部を縦長状態から横長状態に回転する際、捩りコイルバネは、縦長状態と横長状態においてバネの力が最も弱くなり、縦長状態と横長状態の中間点で最も強くなる。そのため縦長状態と横長状態において表示部の安定感が悪くなる。すなわち、指で表示部を触るとグラグラ感を感じ、品質の低下を招くという問題がある。
【０００６】
本発明は、かかる点に鑑みなされたもので、表示部が、第１の筺体に支持機構を介して、縦長状態と横長状態とに切換操作自在に支持された折畳み式携帯端末において、縦長状態及び横長状態にある表示部のぐらつきをなくすことを目的とする。
【課題を解決するための手段】
【０００７】
上記目的を達成するために、表示部と第１の筐体とを磁力により保持されるようにした。
【０００８】
具体的には、第１の発明では、
表面に表示部が設けられた第１の筺体と、
表面に操作部を有する第２の筺体と、
上記第１の筺体と第２の筺体とを折畳み開閉自在に連結するヒンジ部を備え、
上記表示部が、上記第１の筺体に支持機構を介して、縦長状態と横長状態とに切換操作自在に支持された折畳み式携帯端末を対象とする。
【０００９】
上記折畳み式携帯端末は、
上記表示部が縦長状態にあるとき、及び横長状態にあるときに、該表示部と上記第１の筐体とが磁力により保持されるように構成されている。
【００１０】
上記の構成によると、表示部が縦長状態にあるとき、及び横長状態にあるときに、表示部と第１の筐体とが磁力により保持されるので、ユーザは表示部のぐらつき感を感じず、商品性が向上する。
【００１１】
第２の発明では、第１の発明において、
上記第１の筐体には、筐体側磁石が設けられ、
上記表示部には、表示部側第１及び第２磁石がそれぞれ設けられ、
上記表示部が縦長状態にあるときに、筐体側磁石と表示部側第１磁石とが重なり合う位置になり、
上記表示部が横長状態にあるときに、筐体側磁石と表示部側第２磁石とが重なり合う位置になるように構成されている。
【００１２】
上記の構成によると、縦長状態で筐体側磁石と表示部側第１磁石とが重なり合い、また、横長状態で筐体側磁石と表示部側第２磁石とが重なり合うので、縦長状態及び横長状態において、磁石が引き合い、表示部のぐらつきが減少する。
【００１３】
第３の発明では、第２の発明において、
上記筐体側磁石、表示部側第１及び第２磁石は、永久磁石で構成されている。
【００１４】
上記の構成によると、電気を利用する磁石に比べ、バッテリ消耗に有利でかつ製造コストが低い。
【００１５】
第４の発明では、第２又は第３の発明において、
上記表示部は、正面から見て時計回りに回転自在に構成され、
上記筐体側磁石は、第１の筐体の正面から見て略下部中央に配置され、
上記表示部側第１磁石は、縦長状態の表示部の正面から見て略下部中央に配置され、
上記表示部側第２磁石は、縦長状態の表示部の正面から見て略右側面中央に配置されている。
【００１６】
上記の構成によると、縦長状態で筐体側磁石と表示部側第１磁石とが重なり合い、表示部が時計回りに回転すると、横長状態で筐体側磁石と表示部側第２磁石とが重なり合うので、最小限の数の磁石で表示部のぐらつきが防止される。
【００１７】
第５の発明では、第２又は第３の発明において、
上記表示部は、正面から見て反時計回りに回転自在に構成され、
上記筐体側磁石は、第１の筐体の正面から見て略下部中央に配置され、
上記表示部側第１磁石は、縦長状態の表示部の正面から見て略下部中央に配置され、
上記表示部側第２磁石は、縦長状態の表示部の正面から見て略左側面中央に配置されている。
【００１８】
上記の構成によると、縦長状態で筐体側磁石と表示部側第１磁石とが重なり合い、表示部が反時計回りに回転すると、横長状態で筐体側磁石と表示部側第２磁石とが重なり合うので、最小限の数の磁石で表示部のぐらつきが防止される。
【００１９】
第６の発明では、第２乃至第５のいずれか１つの発明において、
上記筐体側磁石、表示部側第１及び第２磁石は、外周の一部が弾性部材で覆われている。
【００２０】
上記の構成によると、筐体側磁石、表示部側第１及び第２磁石又は折畳み式携帯端末の輸送時に衝撃を減少できる。
【００２１】
第７の発明では、第６の発明において、
上記筐体側磁石は、上記第１の筺体に設けた筐体側凹部に上記弾性部材を圧入するように挿入され、
上記表示部側第１及び第２磁石は、上記表示部に設けた表示部側凹部に上記弾性部材を圧入するように挿入されている。
【００２２】
上記の構成によると、組立が容易でかつ落下等により抜けがたい。
【００２３】
第８の発明では、第７の発明において、
上記弾性部材は、ゴムとする。
【００２４】
上記の構成によると、成形が容易で製造コストが安い。
【００２５】
第９の発明では、第１の発明において、
上記第１の筐体には、筐体側強磁性体が設けられ、
上記表示部には、表示部側第１及び第２磁石がそれぞれ設けられ、
上記表示部が縦長状態にあるときには、筐体側強磁性体と表示部側第１磁石とが重なり合う位置になり、
上記表示部が横長状態にあるときには、筐体側強磁性体と表示部側第２磁石とが重なり合う位置になるように構成されている。
【００２６】
上記の構成によると、縦長状態で筐体側強磁性体と表示部側第１磁石とが重なり合い、また、横長状態で筐体側強磁性体と表示部側第２磁石とが重なり合うので、縦長状態及び横長状態において、強磁性体と磁石とが引き合い、表示部のぐらつきが減少する。
【００２７】
第１０の発明では、第９の発明において、
上記筐体側強磁性体は、鉄で構成され、
上記表示部側第１及び第２磁石は、永久磁石で構成されている。
【００２８】
上記の構成によると、電気を利用する磁石に比べ、バッテリ消耗に有利でかつ製造コストが低い。また、鉄と永久磁石とは堅固にくっつくので、表示部のぐらつきが減少する。
【００２９】
第１１の発明では、第９又は第１０の発明において、
上記表示部は、正面から見て時計回りに回転自在に構成され、
上記筐体側強磁性体は、第１の筐体の正面から見て略下部中央に配置され、
上記表示部側第１磁石は、縦長状態の表示部の正面から見て略下部中央に配置され、
上記表示部側第２磁石は、表示部側第２強磁性体は、縦長状態の表示部の正面から見て略右側面中央に配置されている。
【００３０】
上記の構成によると、縦長状態で筐体側強磁性体と表示部側第１磁石とが重なり合い、表示部が時計回りに回転すると、横長状態で筐体側強磁性体と表示部側第２磁石とが重なり合うので、最小限の数の磁石及び強磁性体で表示部のぐらつきが防止される。
【００３１】
第１２の発明では、第９又は第１０の発明において、
上記表示部は、正面から見て反時計回りに回転自在に構成され、
上記筐体側強磁性体は、第１の筐体の正面から見て略下部中央に配置され、
上記表示部側第１磁石は、縦長状態の表示部の正面から見て略下部中央に配置され、
上記表示部側第２磁石は、縦長状態の表示部の正面から見て略左側面中央に配置されている。
【００３２】
上記の構成によると、縦長状態で筐体側強磁性体と表示部側第１磁石とが重なり合い、表示部が反時計回りに回転すると、横長状態で筐体側強磁性体と表示部側第２磁石とが重なり合うので、最小限の数の磁石及び強磁性体で表示部のぐらつきが防止される。
【００３３】
第１３の発明では、第９乃至第１２のいずれか１つの発明において、
上記筐体側強磁性体、表示部側第１及び第２磁石は、外周の一部が弾性部材で覆われている。
【００３４】
上記の構成によると、筐体側強磁性体、表示部側第１及び第２磁石又は折畳み式携帯端末の輸送時に衝撃を減少できる。
【００３５】
第１４の発明では、第１３の発明において、
上記筐体側強磁性体は、上記第１の筺体に設けた筐体側凹部に上記弾性部材を圧入するように挿入され、
上記表示部側第１及び第２磁石は、上記表示部に設けた表示部側凹部に上記弾性部材を圧入するように挿入されている。
【００３６】
上記の構成によると、組立が容易でかつ落下等により抜けがたい。
【００３７】
第１５の発明では、第１４の発明において、
上記弾性部材は、ゴムとする。
【００３８】
上記の構成によると、成形が容易で製造コストが安い。
【００３９】
第１６の発明では、第１の発明において、
上記第１の筐体には、筐体側磁石が設けられ、
上記表示部には、表示部側第１及び第２強磁性体がそれぞれ設けられ、
上記表示部が縦長状態にあるときには、筐体側磁石と表示部側第１強磁性体とが重なり合う位置になり、
上記表示部が横長状態にあるときには、筐体側磁石と表示部側第２強磁性体とが重なり合う位置になるように構成されている。
【００４０】
上記の構成によると、縦長状態で筐体側磁石と表示部側第１強磁性体とが重なり合い、また、横長状態で筐体側磁石と表示部側第２強磁性体とが重なり合うので、縦長状態及び横長状態において、磁石が引き合い、表示部のぐらつきが減少する。
【００４１】
第１７の発明では、第１６の発明において、
上記筐体側磁石は、永久磁石で構成され、
上記表示部側第１及び第２強磁性体は、鉄で構成されている。
【００４２】
上記の構成によると、電気を利用する磁石に比べ、バッテリ消耗に有利でかつ製造コストが低い。また、鉄と永久磁石とは堅固にくっつくので、表示部のぐらつきが減少する。
【００４３】
第１８の発明では、第１６又は第１７の発明において、
上記表示部は、正面から見て時計回りに回転自在に構成され、
上記筐体側磁石は、第１の筐体の正面から見て略下部中央に配置され、
上記表示部側第１強磁性体は、縦長状態の表示部の正面から見て略下部中央に配置され、
上記表示部側第２強磁性体は、縦長状態の表示部の正面から見て略右側面中央に配置されている。
【００４４】
上記の構成によると、縦長状態で筐体側磁石と表示部側第１強磁性体とが重なり合い、表示部が時計回りに回転すると、横長状態で筐体側磁石と表示部側第２強磁性体とが重なり合うので、最小限の数の磁石及び強磁性体で表示部のぐらつきが防止される。
【００４５】
第１９の発明では、第１６又は第１７の発明において、
上記表示部は、正面から見て時計回りに回転自在に構成され、
上記筐体側磁石は、第１の筐体の正面から見て略下部中央に配置され、
上記表示部側第１強磁性体は、縦長状態の表示部の正面から見て略下部中央に配置され、
上記表示部側第２強磁性体は、縦長状態の表示部の正面から見て略左側面中央に配置されている。
【００４６】
上記の構成によると、縦長状態で筐体側磁石と表示部側第１強磁性体とが重なり合い、表示部が反時計回りに回転すると、横長状態で筐体側磁石と表示部側第２強磁性体とが重なり合うので、最小限の数の磁石及び強磁性体で表示部のぐらつきが防止される。
【００４７】
第２０の発明では、第１６乃至第１９のいずれか１つの発明において、
上記筐体側磁石、表示部側第１及び第２強磁性体は、外周の一部が弾性部材で覆われている。
【００４８】
上記の構成によると、筐体側磁石、表示部側第１及び第２強磁性体又は折畳み式携帯端末の輸送時に衝撃を減少できる。
【００４９】
第２１の発明では、第２０の発明において、
上記筐体側磁石は、上記第１の筺体に設けた筐体側凹部に上記弾性部材を圧入するように挿入され、
上記表示部側第１及び第２強磁性体は、上記表示部に設けた表示部側凹部に上記弾性部材を圧入するように挿入されている。
【００５０】
上記の構成によると、組立が容易でかつ落下等により抜けがたい。
【００５１】
第２２の発明では、第２１の発明において、
上記弾性部材は、ゴムとする。
【００５２】
上記の構成によると、成形が容易で製造コストが安い。
【００５３】
第２３の発明では、第１の発明において、
上記第１の筐体には、筐体側第１及び第２磁石が設けられ、
上記表示部には、表示部側磁石が設けられ、
上記表示部が縦長状態にあるときには、上記筐体側第２磁石と表示部側磁石とが重なり合う位置になり、
上記表示部が横長状態にあるときには、上記筐体側第１磁石と表示部側磁石とが重なり合う位置になる。
【００５４】
上記の構成によると、縦長状態で筐体側第２磁石と表示部側磁石とが重なり合い、また、横長状態で筐体側磁石と表示部側磁石とが重なり合うので、縦長状態及び横長状態において、磁石が引き合い、表示部のぐらつきが減少する。
【００５５】
第２４の発明では、第２３の発明において、
上記筐体側第１及び第２磁石と表示部側磁石とは、永久磁石で構成されている。
【００５６】
上記の構成によると、電気を利用する磁石に比べ、バッテリ消耗に有利でかつ製造コストが低い。
【００５７】
第２５の発明では、第２３又は第２４の発明において、
上記表示部は、正面から見て時計回りに回転自在に構成され、
上記筐体側磁石は、第１の筐体の正面から見て略下部中央に配置され、
上記筐体側第２磁石は、第１の筐体の正面から見て略右側面上部に配置され、
上記表示部側磁石は、縦長状態にある表示部の正面から見て略下部中央に配置されている。
【００５８】
上記の構成によると、縦長状態で筐体側第２磁石と表示部側磁石とが重なり合い、表示部が時計回りに回転すると、横長状態で筐体側磁石と表示部側磁石とが重なり合うので、最小限の数の磁石で表示部のぐらつきが防止される。
【００５９】
第２６の発明では、第２３又は第２４の発明において、
上記表示部は、正面から見て反時計回りに回転自在に構成され、
上記筐体側第１磁石は、第１の筐体の正面から見て略下部中央に配置され、
上記筐体側第２磁石は、第１の筐体の正面から見て略左側面上部に配置され、
上記表示部側磁石は、縦長状態にある表示部の正面から見て略下部中央に配置されている。
【００６０】
上記の構成によると、縦長状態で筐体側第２磁石と表示部側磁石とが重なり合い、表示部が反時計回りに回転すると、横長状態で筐体側磁石と表示部側磁石とが重なり合うので、最小限の数の磁石で表示部のぐらつきが防止される。
【００６１】
第２７の発明では、第２３乃至第２６のいずれか１つの発明において、
上記筐体側第１及び第２磁石と表示部側磁石とは、外周の一部が弾性部材で覆われている。
【００６２】
上記の構成によると、筐体側第１及び第２磁石と表示部側磁石又は折畳み式携帯端末の輸送時に衝撃を減少できる。
【００６３】
第２８の発明では、第２７の発明において、
上記筐体側第１及び第２磁石は、上記第１の筺体に設けた筐体側凹部に上記弾性部材を圧入するように挿入され、
上記表示部側磁石は、上記表示部に設けた表示部側凹部に上記弾性部材を圧入するように挿入されている。
【００６４】
上記の構成によると、組立が容易でかつ落下等により抜けがたい。
【００６５】
第２９の発明では、第２８の発明において、
上記弾性部材は、ゴムとする。
【００６６】
上記の構成によると、成形が容易で製造コストが安い。
【００６７】
第３０の発明では、第１の発明において、
上記第１の筐体には、筐体側強磁性体と筐体側第２強磁性体とが設けられ、
上記表示部には、表示部側磁石が設けられ、
上記表示部が縦長状態にあるときには、上記筐体側第２強磁性体と表示部側磁石とが重なり合う位置になり、
上記表示部が横長状態にあるときには、上記筐体側強磁性体と表示部側磁石とが重なり合う位置になる。
【００６８】
上記の構成によると、縦長状態で筐体側第２強磁性体と表示部側磁石とが重なり合い、また、横長状態で筐体側強磁性体と表示部側磁石とが重なり合うので、縦長状態及び横長状態において、強磁性体と磁石とが引き合い、表示部のぐらつきが減少する。
【００６９】
第３１の発明では、第３０の発明において、
上記筐体側強磁性体と筐体側第２強磁性体とは、鉄で構成され、
上記表示部側磁石は、永久磁石で構成されている。
【００７０】
上記の構成によると、電気を利用する磁石に比べ、バッテリ消耗に有利でかつ製造コストが低い。また、鉄と永久磁石とは堅固にくっつくので、表示部のぐらつきが減少する。
【００７１】
第３２の発明では、第３０又は第３１の発明において、
上記表示部は、正面から見て時計回りに回転自在に構成され、
上記筐体側強磁性体は、第１の筐体の正面から見て略下部中央に配置され、
上記筐体側第２強磁性体は、第１の筐体の正面から見て略右側面上部に配置され、
上記表示部側磁石は、縦長状態にある表示部の正面から見て略下部中央に配置されている。
【００７２】
上記の構成によると、縦長状態で筐体側第２強磁性体と表示部側磁石とが重なり合い、表示部が時計回りに回転すると、横長状態で筐体側強磁性体と表示部側磁石とが重なり合うので、最小限の数の磁石及び強磁性体で表示部のぐらつきが防止される。
【００７３】
第３３の発明では、第３０又は第３１の発明において、
上記表示部は、正面から見て反時計回りに回転自在に構成され、
上記筐体側第１強磁性体は、第１の筐体の正面から見て略下部中央に配置され、
上記筐体側第２強磁性体は、第１の筐体の正面から見て略左側面上部に配置され、
上記表示部側磁石は、縦長状態にある表示部の正面から見て略下部中央に配置されている。
【００７４】
上記の構成によると、縦長状態で筐体側第２強磁性体と表示部側磁石とが重なり合い、表示部が反時計回りに回転すると、横長状態で筐体側強磁性体と表示部側磁石とが重なり合うので、最小限の数の磁石及び強磁性体で表示部のぐらつきが防止される。
【００７５】
第３４の発明では、第３０乃至第３３のいずれか１つの発明において、
上記筐体側第１及び第２強磁性体と、表示部側磁石とは、外周の一部が弾性部材で覆われている。
【００７６】
上記の構成によると、筐体側第１及び第２強磁性体、表示部側磁石又は折畳み式携帯端末の輸送時に衝撃を減少できる。
【００７７】
第３５の発明では、第３０の発明において、
上記筐体側第１及び第２強磁性体は、上記第１の筺体に設けた筐体側凹部に上記弾性部材を圧入するように挿入され、
上記表示部側磁石は、上記表示部に設けた表示部側凹部に上記弾性部材を圧入するように挿入されている。
【００７８】
上記の構成によると、組立が容易でかつ落下等により抜けがたい。
【００７９】
第３６の発明では、第３５の発明において、
上記弾性部材は、ゴムとする。
【００８０】
上記の構成によると、成形が容易で製造コストが安い。
【００８１】
第３７の発明では、第１の発明において、
上記第１の筐体には、筐体側第１及び第２磁石が設けられ、
上記表示部には、表示部側強磁性体が設けられ、
上記表示部が縦長状態にあるときには、上記筐体側磁石と表示部側強磁性体とが重なり合う位置になり、
上記表示部が横長状態にあるときには、上記筐体側第２磁石と表示部側強磁性体とが重なり合う位置になる。
【００８２】
上記の構成によると、縦長状態で筐体側磁石と表示部側強磁性体とが重なり合い、また、横長状態で筐体側第２磁石と表示部側強磁性体とが重なり合うので、縦長状態及び横長状態において、磁石が引き合い、表示部のぐらつきが減少する。
【００８３】
第３８の発明では、第３７の発明において、
上記筐体側第１及び第２磁石は、永久磁石で構成され、
上記表示部側強磁性体は、鉄で構成されている。
【００８４】
上記の構成によると、電気を利用する磁石に比べ、バッテリ消耗に有利でかつ製造コストが低い。また、鉄と永久磁石とは堅固にくっつくので、表示部のぐらつきが減少する。
【００８５】
第３９の発明では、第３７又は第３８の発明において、
上記表示部は、正面から見て時計回りに回転自在に構成され、
上記筐体側磁石は、第１の筐体の正面から見て略下部中央に配置され、
上記筐体側第２磁石は、第１の筐体の正面から見て略右側面上部に配置され、
上記表示部側強磁性体は、縦長状態にある表示部の正面から見て略下部中央に配置されている。
【００８６】
上記の構成によると、縦長状態で筐体側磁石と表示部側強磁性体とが重なり合い、表示部が時計回りに回転すると、横長状態で筐体側第２磁石と表示部側強磁性体とが重なり合うので、最小限の数の磁石及び強磁性体で表示部のぐらつきが防止される。
【００８７】
第４０の発明では、第３７又は第３８の発明において、
上記表示部は、正面から見て反時計回りに回転自在に構成され、
上記筐体側磁石は、第１の筐体の正面から見て略下部中央に配置され、
上記筐体側第２磁石は、第１の筐体の正面から見て略左側面上部に配置され、
上記表示部側強磁性体は、縦長状態にある表示部の正面から見て略下部中央に配置されている。
【００８８】
上記の構成によると、縦長状態で筐体側磁石と表示部側強磁性体とが重なり合い、表示部が反時計回りに回転すると、横長状態で筐体側第２磁石と表示部側強磁性体とが重なり合うので、最小限の数の磁石及び強磁性体で表示部のぐらつきが防止される。
【００８９】
第４１の発明では、第３７乃至第４０のいずれか１つの発明において、
上記筐体側第１及び第２磁石、表示部側強磁性体は、外周の一部が弾性部材で覆われている。
【００９０】
上記の構成によると、筐体側磁石、表示部側第１及び第２強磁性体又は折畳み式携帯端末の輸送時に衝撃を減少できる。
【００９１】
第４２の発明では、第４１の発明において、
上記筐体側第１及び第２磁石は、上記第１の筺体に設けた筐体側凹部に上記弾性部材を圧入するように挿入され、
上記表示部側強磁性体は、上記表示部に設けた表示部側凹部に上記弾性部材を圧入するように挿入されている。
【００９２】
上記の構成によると、組立が容易でかつ落下等により抜けがたい。
【００９３】
第４３の発明では、第４２の発明において、
上記弾性部材は、ゴムとする。
【００９４】
上記の構成によると、成形が容易で製造コストが安い。
【００９５】
第４４の発明では、第１乃至第４３のいずれか１つの発明において、
上記支持機構は、第１の筐体に設けられ左右方向に延びる中凸状に湾曲した曲線状の左右方向ガイド溝と、第１の筐体に設けられ上下方向に延びる上下方向ガイド溝と、表示部の背面に設けられ上記左右方向ガイド溝にスライド自在に係合する第１ガイドピンと、表示部の背面に設けられ上記上下方向ガイド溝にスライド自在に係合する第２ガイドピンとを備えている。
【００９６】
上記の構成によると、切換操作の際には、表示部は、支持機構により、表示部の第１ガイドピンが左右方向ガイド溝に係合した状態で中間で最も上方に位置するように左右方向にスライド移動するのと同時に、表示部の第２ガイドピンが上下方向ガイド溝に係合した状態で上下方向にスライド移動する。この支持機構によって表示部がヒンジ部や第１の筐体の下端の膨出部などに接触しないように移動規制されながら、縦長状態又は横長状態に切り換えられる。
【００９７】
第４５の発明では、第４４の発明において、
上記第１の筐体は、上記ヒンジ部の一部を構成する成型品よりなる第１の筐体本体と、該第１の筐体本体に固定され、上記左右方向ガイド溝と上下方向ガイド溝とが形成された板金よりなるガイドプレートとを備えている。
【００９８】
上記の構成によると、また、第１の筐体本体を成型品で構成することにより、複雑な形状や外観の一部を構成することも可能となる。ガイドプレートを板金で構成することにより、耐摩耗性の向上や薄型化が可能となる。
【００９９】
第４６の発明では、第４５の発明において、
上記第１の筐体は、マグネシウム合金の成型品よりなるものとする。
【０１００】
上記の構成によると、マグネシウム合金であれば、磁界に悪影響を与えず、軽量で剛性も高いので、薄型化が可能である。
【０１０１】
第４７の発明では、第４４乃至第４６のいずれか１つの発明において、
上記支持機構には、表示部が縦長状態又は横長状態となるように付勢する付勢部材が設けられ、該付勢部材は表示部の回転の中間点で最も圧縮されるように配置されている。
【０１０２】
上記の構成によると、表示部の回転の中間点で付勢部材の力が最も蓄えられ、この中間点を超えることで、縦長状態から横長状態へ若しくは横長状態から縦長状態への切換が弾性部材によってアシストされる。一方、縦長状態及び横長状態では、付勢部材の付勢力が弱いため、表示部がふらつき易いが、本発明によれば、表示部と第１の筐体とが磁力により保持されるので、ユーザは表示部のぐらつき感を感じず、商品性が向上する。
【０１０３】
第４８の発明では、第４７の発明において、
上記付勢部材は、ねじりコイルバネとする。
【０１０４】
上記の構成によると、簡単かつ壊れにくい構成により、付勢部材が実現される。
【０１０５】
第４９の発明では、第４６乃至第４８のいずれか１つの発明において、
上記表示部は、樹脂製キャビネットに覆われている。
【０１０６】
上記の構成によると、樹脂製キャビネットであれば、磁界に悪影響を与えず、凹部等を容易に形成することができる。
【０１０７】
第５０の発明では、第１乃至第４９のいずれか１つの発明において、
携帯通信機器は、携帯電話機とする。
【０１０８】
上記の構成によると、表示部のぐらつかない品質の高い携帯電話機が得られる。
【発明の効果】
【０１０９】
以上説明したように、本発明によれば、表示部と第１の筐体とを磁力により保持するようにしたことにより、縦長状態と横長状態とのそれぞれにおいて、表示部のぐらつきが減少するので、商品性の高い、操作し易い折畳み式携帯端末を得ることができる。
【発明を実施するための最良の形態】
【０１１０】
以下、本発明の実施形態を図面に基づいて説明する。
（実施形態１）
以下、本発明の実施形態を図面に基づいて説明する。
【０１１１】
図１は、折畳み状態にある本発明の実施形態にかかる折畳み式携帯電話機を示す斜視図である。図２は、開いた状態で液晶表示部が縦長状態における折畳み式携帯電話機を示す斜視図である。図３は、液晶表示部を縦長状態又は横長状態に切り換える途中の折畳み式携帯電話機を示す斜視図である。図４は、開いた状態で液晶表示部が横長状態のとき折畳み式携帯電話機を示す斜視図である。
【０１１２】
本実施形態の折畳み式携帯端末としての折畳み式携帯電話機１は、表面に表示部としての液晶表示部２が設けられた第１の筐体３と、表面に操作部４を有する第２の筐体５と、これら第１の筐体３と第２の筐体５とを折畳み開閉自在に連結するヒンジ部６とを備えている。このことで、折畳み式携帯電話機１は、図１に示す折畳み状態又は図２乃至図４に示す開き状態の２通りの状態に切換可能となっている。
【０１１３】
上記第２の筐体５の操作部４には、複数の操作キー７が設けられている。この操作キー７は、折畳み式携帯電話機１全体を縦長に持ったときにキー入力できるように配置され、かつその表面に表示が付されている。この操作キー７を操作することで、折畳み式携帯電話機１の多数の機能が利用されるようになっている。また、第２の筐体５には、会話用のマイク部９が設けられている。
【０１１４】
上記液晶表示部２及び操作部４は、第１の筐体３を第２の筐体５に対して折畳み状態から開いたときに現出するように構成されている。したがって、この折畳み式携帯電話機１では、液晶表示部２が縦長状態と横長状態とのいずれにおいても、ユーザは液晶表示部２の液晶ディスプレイ２ａを見ながら同じ縦状態の配置の操作部４の操作キー７を操作できるようになっている。
【０１１５】
上記液晶表示部２は、縦長状態における下端部が直線状に形成され、液晶表示部２の表面の大部分を占めるように、矩形状の液晶ディスプレイ２ａが樹脂製キャビネットの内部に設けられている。液晶表示部２が縦長状態における上端側に会話用のスピーカ部８が設けられている。なお、液晶表示部２の各角部は下端側コーナー部２ｂを含め、デザイン上又は安全上の観点等から丸面取りされている。なお、この液晶表示部２の背面上側には、時間などが表示される背面液晶１１が設けられ、折畳み状態において時間などが見られるようになっている。
【０１１６】
図５は、開いた状態で液晶表示部が縦長状態における折畳み式携帯電話機を背面側から見た斜視図である。図６は、図５の分解斜視図である。図７は、カム機構を背面側から見た斜視図である。図８は、カム機構を表面側から見た斜視図である。図９は、縦長状態のカム機構及びその周辺を示す正面図である。
【０１１７】
図５〜図９に示すように、上記第１の筐体３には、略矩形板状の液晶表示部２を縦長状態又は横長状態に切換操作可能に支持する支持機構としてのカム機構１０が設けられている。第１の筐体３は、下端部両側に上記ヒンジ部６の軸部６ａが挿通されるボス部３ａが形成された第１の筐体本体３ｂと、この第１の筐体本体３ｂを覆う矩形皿状の背面カバー３ｃと、後述するガイドプレート１６とを備えている。
【０１１８】
上記第１の筐体本体３ｂは、マグネシウム合金であれば、磁界に悪影響を与えず、軽量で剛性も高いので、薄型化が可能である。第１の筐体本体３ｂには、カム用開口３ｄが開口されている。
【０１１９】
上記カム機構１０は、第１の筐体３に設けられ左右方向に延びかつ中凸状に湾曲した曲線状の左右方向ガイド溝１２と、第１の筐体３に設けられ上下方向に延びる直線状の上下方向ガイド溝１４と、液晶表示部２の背面に設けられ上記左右方向ガイド溝１２にスライド自在に係合する第１ガイドピン１３と、液晶表示部２の背面に設けられ上記上下方向ガイド溝１４にスライド自在に係合する第２ガイドピン１５とを備えている。
【０１２０】
すなわち、上記左右方向ガイド溝１２と上下方向ガイド溝１４とは、上記第１の筐体本体３ｂに固定されるガイドプレート１６に形成されている。ガイドプレート１６は、ステンレス鋼などの板金で構成されている。左右方向ガイド溝１２は、中凸状に湾曲した曲線状開口で構成され、折畳み式携帯電話機１を背面から見たときに、その中心部が第１の筐体３の右側にオフセットして配置されている。上下方向ガイド溝１４は、左右方向ガイド溝１２の中凸形状の最上部近傍の上側に垂直に設けられた直線状開口の周縁部よりなる。両ガイド溝１２，１４の液晶表示部２と反対側の面の開口周縁には、その他の部分よりも低くなった段差部１２ａ，１４ａが形成されている。このガイドプレート１６は、第１の筐体３の厚さ方向中間部に位置するように、その貫通孔１６ａにビス１７（図９に示す）を挿通して締結するなどにより、第１の筐体本体３ｂに固定されている。このように、従来の液晶表示部に対して垂直に設けた支持軸に相当する第２ガイドピン１５は、折畳み式携帯電話機１の背面から見て第１の筐体３右上側に位置するようにオフセットして設けられている。
【０１２１】
一方、上記液晶表示部２の背面には、金属製のリンク部材１８が装着されている。このリンク部材１８は、液晶表示部２の背面に締結又は位置決めするための貫通孔１８ａが設けられた板状の取付部１８ｂと、この取付部１８ｂから側面視Ｌ字状に連続する先端部１８ｃとを有している。上記第１ガイドピン１３は、リンク部材１８の一端側、すなわち、取付部１８ｂの先端に第１の筐体３側へ垂直に延びるように設けられている。上記第２ガイドピン１５は、上記リンク部材１８の他端側、すなわち、先端部１８ｃの端部に第１の筐体３側へ垂直に延びるように設けられている。これらのガイドピン１３，１５の先端に円形のスライド部１３ａ，１５ａが形成されている。このスライド部１３ａ，１５ａが上記段差部１２ａ，１４ａ上をそれぞれ摺動するようになっている。このことで、ガイドピン１３，１５がガイド溝１２，１４から抜け止めされ、液晶表示部２が第１の筐体３から外れないようにスライド自在に係合するようになっている。
【０１２２】
上記ガイドプレート１６の下側には、バネ固定ピン１９が液晶表示部２側へ垂直に延びるように設けられている。このバネ固定ピン１９には、付勢部材としてのねじりコイルバネ２０が固定されている。このねじりコイルバネ２０の両端部２０ａ，２０ｂはリング状に形成され、その一端２０ａが上記第１ガイドピン１３の外周に回転可能に嵌められ、他端２０ｂがバネ固定ピン１９外周に回転可能に嵌められている。このことで、ねじりコイルバネ２０は、バネ固定ピン１９を中心に左右に揺動可能に支持され、その弾性力により、液晶表示部２が縦長状態から横長状態となるのを付勢し、かつ縦長状態から横長状態となるのを付勢するように配置されている。具体的には、図１０のように第１ガイドピン１３がバネ固定ピン１９に最も近付いたとき（第２ガイドピン１５が上下方向ガイド溝１４の上端に位置したとき）の近傍において、ねじりコイルバネ２０は最大たわみ角となり、そこから第１ガイドピン１３が左右いずれかの方向にずれることで、液晶表示部２が縦長状態又は横長状態となるように付勢するようになっている。
【０１２３】
上記左右方向ガイド溝１２と上下方向ガイド溝１４と第１ガイドピン１３と第２ガイドピン１５とねじりコイルバネ２０とは、ユニット組立可能に構成され、このユニット組立されたカム機構１０は、ガイドプレート１６を第１の筐体本体３ｂに取り付けることで、第１の筐体３に取り付けられるようになっている。このカム機構１０の可動部であるガイドピン１３，１５及びねじりコイルバネ２０は、上記第１の筐体のカム用開口３ｄ内を移動するようになっている。
【０１２４】
信号線２１は、一端が液晶ディスプレイ２ａの背面に接続され、他端がボス部３ａを通って第２の筐体５側の基板（図示せず）に接続されることで、液晶表示部２と第２の筐体５とを電気的に接続するようになっている。第１の筐体本体３ｂにガイドプレート１６が固定された状態で、上方が開口され、信号線配線用開口２３が形成されている。第１の筐体本体３ｂの背面側には、信号線２１が収容される信号線配線用凹溝２４がカム用開口３ｄ側からヒンジ部６側へ伸びるように形成されている。信号線２１は、液晶表示部２が縦長状態又は横長状態に切り換えられる際にも、カム機構１０の動きを阻害しないように信号線配線用凹溝２４に収納されている。
【０１２５】
図１４は、筐体側第１磁石の斜視図である。図１５は、液晶側第１磁石の斜視図である。
【０１２６】
第１の筐体本体３ｂの略下端部中央の表面側には、筐体側凹部３６が設けられ、この筐体側凹部３６に筐体側第１磁石３１（筐体側磁石）が嵌め込まれている。第１の筐体本体３ｂは、マグネシウム合金の成型品であるので、その成形は容易である。液晶表示部２の略下端中央部裏面側には、表示部側凹部３７が設けられ、この表示部側凹部３７に表示部側第１磁石３３が嵌め込まれている。液晶表示部２の略左端中央部裏面側にも、表示部側凹部３７が設けられ、この表示部側凹部３７に表示部側第２磁石３４が設けられている。これらの表示部側凹部３７は、液晶表示部２の樹脂製キャビネットに容易に成形できる。
【０１２７】
このように構成することで、液晶表示部２の縦長状態で筐体側第１磁石３１と表示部側第１磁石３３とが重なり合うように、また、液晶表示部２が横長状態にあるときに筐体側第１磁石３１と表示部側第２磁石３４とが重なり合うように配置されている。筐体側第１磁石３１、表示部側第１磁石３３及び表示部側第２磁石３４はいずれも永久磁石よりなる。電気を利用する磁石に比べ、バッテリ消耗に有利でかつ製造コストが低いというメリットがある。筐体側第１磁石３１、表示部側第１磁石３３及び表示部側第２磁石３４は、それぞれ中央部に弾性部材としてのゴムバンド３５が巻かれている。このため、詳しくは図示しないが、筐体側凹部３６及び表示部側凹部３７の内面に突起を設け、筐体側第１磁石３１、表示部側第１磁石３３及び表示部側第２磁石３４を押し込むようにすれば、組立作業が容易である。筐体側第１磁石３１、表示部側第１磁石３３及び表示部側第２磁石３４は、互いに引き合うような力が働くようにＳＮ極が配置されている。
【０１２８】
−作用−
次に、本実施形態にかかる折畳み式携帯電話機１の作動について図面を用いて説明する。図１０は、折畳み式携帯電話機１の開いた状態で、表示部が縦長状態から横長状態に切換わる途中で、磁石の取付位置を示す分解斜視図を示す。図１１は、切換過程のカム機構及びその周辺を示す正面図である。図１２は、折畳み式携帯電話機１の開いた状態で、液晶表示部２が横長状態に切換わった状態にあり、磁石の取付位置を示す分解斜視図である。図１３は、横長状態のカム機構及びその周辺を示す正面図である。
【０１２９】
まず、図１に示すように、折畳み式携帯電話機１を使用しないとき、又は待機状態のときなどは、第１の筐体３と第２の筐体５とが閉じられて折畳み状態にある。
【０１３０】
そして、図２に示すように、第１の筐体３と第２の筐体５とを開くと、液晶表示部２と操作部４とが現出する。通常の通話時やメール送受信時などには、液晶表示部２を縦長状態とし、操作部４でキー入力しながら使用する。このとき、図９に示すように、ねじりコイルバネ２０は開いた状態にあり、力の弱い状態になっている。液晶表示部２は左右にぐらつき易い状態となっているため、筐体側第１磁石３１と表示部側第１磁石３３の互いに引き合う力により、左右のぐらつき防止が防止される。
【０１３１】
一方、地上デジタルテレビ放送の視聴や英文でメールを作成したり読んだりするときなど横長画像を見たいときには、ユーザが液晶表示部２を回転させ縦長状態から横長状態に切り換える。
【０１３２】
まず、ユーザは液晶表示部２をねじりコイルバネ２０の付勢力に抗して表面から見て時計回りに回転させて、下端側コーナー部２ｂを図３に示す位置まで移動させる。このとき、図１１に示すように、折畳み式携帯電話機１の背面から見て上下方向ガイド溝１４の下端にあった第２ガイドピン１５が上端に移動し、左右方向ガイド溝１２の左端にあった第１ガイドピン１３が中間点に移動する。筐体側第１磁石３１と、表示部側第１磁石３３又は表示部側第２磁石３４とは重なり合わず、磁石の引き合う力は働かない状態にある。捩りねじりコイルバネ２０は、開き角が狭まってバネの力が強くなった状態にある。
【０１３３】
次いで、ねじりコイルバネ２０の最大たわみ角を超えると、その付勢力によって液晶表示部２がアシストされながら、図４に示す横長状態に切り換えられる。このとき、図１３に示すように、折畳み式携帯電話機１の背面から見て上下方向ガイド溝１４の上端にあった第２ガイドピン１５が下端に移動し、左右方向ガイド溝１２の中央にあった第１ガイドピン１３が右端に移動する。
【０１３４】
このように、カム機構１０により、液晶表示部２の第１ガイドピン１３が左右方向ガイド溝１２内を中間で最も上方に位置するように左右方向にスライド移動するのと同時に、液晶表示部２の第２ガイドピン１５が上下方向ガイド溝１４内を上下方向にスライド移動する。
【０１３５】
図１６に、下端側コーナー部２ｂの面取りした円弧の中心ｒ１がカム機構１０による移動規制により、描いた軌跡Ｒを示す。このとき、下端側コーナー部２ｂは丸面取りされているので、その丸面取りした部分の切換時の最下端部は、ヒンジ部６との間に一定の隙間Ｓを保った直線状の軌跡Ｌ１でもって移動するように案内支持される。このため、液晶表示部２がこの軌跡Ｌ１よりも下側へ移動することはないので、従来のように液晶表示部２の下端をその支持軸を中心とした半径に沿って丸めなくても、液晶表示部２がヒンジ部６に接触することはない。また、図６等に示すように、信号線２１は、信号線配線用凹溝２４に確実に収納されているので、他の部材に絡んで液晶表示部２の切換を妨げることはない。
【０１３６】
図４に示す横長状態でも、上記液晶表示部２の左右方向中央部は、第１の筐体３の略左右方向中央に位置している。そして、液晶ディスプレイ２ａに横長画像が大きく表示されるように設定して、操作部４でキー入力しながら、テレビからクイズ番組に参加したり、テレビショッピングや銀行振り込みなどをテレビを通じて利用したりする。このとき捩りねじりコイルバネ２０は開き角度が最も開いた状態となってバネ強度が弱くなった状態になっている。しかし、このとき、筐体側第１磁石３１と表示部側第２磁石３４とが一致した位置にくる。これにより磁石の引き合う力により左右のぐらつきが防止される。
【０１３７】
また、使用後は、上記とは反対に、液晶表示部２の右側の上記下端側コーナー部２ｂをねじりコイルバネ２０の付勢力に抗するように、表面から見て反時計回りに回動させ、ねじりコイルバネ２０がその最大たわみ角を超えると、その付勢力によって液晶表示部２がアシストされながら、縦長状態に戻る。
【０１３８】
そして、第１の筐体３と第２の筐体５とを折り畳んで待機状態とする。
【０１３９】
−実施形態１の効果−
したがって、本実施形態によると、液晶表示部２と第１の筐体３とを磁力により保持するようにしたことにより、縦長状態と横長状態とのそれぞれにおいて、液晶表示部２のぐらつきが減少するので、商品性の高い、操作し易い折畳み式携帯電話機１を得ることができる。
【０１４０】
−実施形態１の変形例−
上記実施形態では、筐体側第１磁石３１と表示部側第１磁石３３と表示部側第２磁石３４というようにいずれも磁石で構成したが、例えば、筐体側第１磁石３１を筐体側強磁性体として表示部側第１磁石３３又は表示部側第２磁石３４と引き合うようにしてもよい。強磁性体としては鉄が適している。また、表示部側第１磁石３３と表示部側第２磁石３４とをそれぞれ、表示部側第１及び第２強磁性体として、筐体側第１磁石３１と引き合うようにしてもよい。これらの場合でも、液晶表示部２と第１の筐体３とを磁力により保持するようにしたことにより、縦長状態と横長状態とのそれぞれにおいて、液晶表示部２のぐらつきが減少する。
（実施形態２）
図１７〜図１９は本発明の実施形態２を示し、磁石の構成が異なる点で上記実施形態１と異なる。なお、以下の各実施形態では、図１〜図１６と同じ部分については同じ符号を付してその詳細な説明は省略する。
【０１４１】
図１７は、実施形態２にかかる携帯電話機の図６相当図である。図１８は、実施形態２にかかる携帯電話機の図８相当図である。図１９は、実施形態２にかかる携帯電話機の図１０相当図である。上記実施形態１と同様、液晶表示部２は、正面から見て時計回りに回転自在に構成されている。
【０１４２】
すなわち、第１の筐体２には、筐体側第１磁石３１と筐体側第２磁石３２とが設けられ、液晶表示部２には、表示部側第１磁石３３が設けられている。具体的には、筐体側第１磁石３１は、第１の筐体２の正面から見て略下部中央に配置され、筐体側第２磁石は、第１の筐体２の正面から見て略右側面上部に配置されている。表示部側第１磁石３３（液晶側磁石）は、縦長状態にある液晶表示部２の正面から見て略下部中央に配置されている。
【０１４３】
このように配置することで、液晶表示部２が縦長状態にあるときには、筐体側第２磁石と表示部側第１磁石３３とが重なり合う位置になり、液晶表示部２が横長状態にあるときには、上記筐体側第１磁石と表示部側第１磁石３３とが重なり合う位置になる。
【０１４４】
図１７に示すように、液晶表示部２が縦長状態では、捩りねじりコイルバネ２０開き角度は、最も開いた状態にありバネの力が弱くなっているが、筐体側第２磁石３２と表示部側第２磁石３４とは合致した位置にあり、互いに引き合う力により、縦長状態のぐらつきが小さくなる。
【０１４５】
図１８に示すように、縦長状態から横長状態へ回転させているときには、捩りねじりコイルバネ２０は、開き角が狭まってバネの力が強くなった状態になっている。筐体側第１磁石３１又は筐体側第２磁石３２と、表示部側第２磁石３４は合致せず磁石の引き合う力は働かない。
【０１４６】
図１９に示すように、液晶表示部２が縦長状態から横長状態に切り換わると、捩りねじりコイルバネ２０は開き角度が最も開いた状態となってバネ強度が弱くなった状態になっているが、筐体側第１磁石３１と表示部側第２磁石３４とが一致した位置にくる。これにより磁石の引き合う力により左右のぐらつき防止をすることができる。
【０１４７】
−実施形態２の変形例−
上記実施形態では、筐体側第１磁石３１と筐体側第２磁石３２と表示部側第１磁石３３というようにいずれも磁石で構成したが、例えば、筐体側第１磁石３１と筐体側第２磁石３２とをそれぞれ筐体側第１及び第２強磁性体として表示部側第１磁石３３と引き合うようにしてもよい。また、表示部側第１磁石３３を表示部側第１強磁性体として、筐体側第１磁石３１と筐体側第２磁石３２と引き合うようにしてもよい。これらの場合でも、液晶表示部２と第１の筐体３とを磁力により保持するようにしたことにより、縦長状態と横長状態とのそれぞれにおいて、液晶表示部２のぐらつきが減少する。
【０１４８】
（その他の実施形態）
本発明は、上記実施形態について、以下のような構成としてもよい。
【０１４９】
すなわち、上記実施形態では、カム機構１０は、液晶表示部２を表面から見て時計回りに縦長状態から横長状態に切り換えているが、反時計回りに切り換えるようにしてもよい。この場合には、上記実施形態で説明したガイド溝、磁石、強磁性体等の配置を左右反対に配置すれば、同様の作用効果が得られる。
【０１５０】
上記実施形態では、第１の筐体本体３ｂを金属成型品で構成したが、樹脂成型品で構成してもよい。このことで、磁界に悪影響を与えず、また、軽量で彩色容易な第１の筐体本体が得られ、折畳み式携帯電話機１を軽量で外観のよいものとすることができる。強化繊維プラスチックなどで成型すれば、剛性の高い第１の筐体本体の実現も可能であり、薄型化も容易である。
【０１５１】
また、左右方向ガイド溝１２及び上下方向ガイド溝１４の形状は、上記実施形態にとらわれない。例えば、上下方向ガイド溝は、上記実施形態のようにヒンジ部６の軸方向に対して略直交する方向に伸ばすものとしてもよいが、図２０に示すようにヒンジ部６の軸方向に対して傾斜する方向に伸ばすものものとしてもよく、湾曲する曲線形状を有するものとしてもよい。この場合でも、丸面取りされた下端側コーナー部２ｂの最下端部は、ヒンジ部６との間に一定の隙間Ｓを保った直線状の軌跡Ｌ２でもって移動するように案内支持される。このように、左右方向ガイド溝１２及び上下方向ガイド溝１４の最適な形状を選択することで、要求される液晶表示部２の動きを容易に達成することができる。
【０１５２】
上記実施形態では、カム機構１０によって、液晶表示部２を、その下端側コーナー部２ｂがヒンジ部６に沿った直線状の軌跡Ｌ１でもって移動するように案内支持しているが、曲線的な軌跡でもって移動するようにしてもよい。この場合には、左右方向ガイド溝１２の形状で液晶表示部２の下端側コーナー部２ｂの軌跡を調整すればよい。このことで、第１の筐体３の下端部におけるヒンジ部６との間の膨出部にカメラなどを設けることも可能となり、この場合にも膨出部に液晶表示部２の下端側コーナー部２ｂが接触するのを防ぐことができる。
【０１５３】
上記実施形態では、左右方向ガイド溝１２を１つのみ設けたが、２つ設けてもよい。この場合には、上下方向ガイド溝１４の上方にさらに傾斜のきつい中凸状の第２の左右方向ガイド溝を設け、この第２の左右方向ガイド溝内にリンク部材１８に設けた第２の第１ガイドピンを移動させればよい。このようにすることで、さらに、液晶表示部２を滑らかに切換操作可能かつ液晶表示部２を第１の筐体３から引き離そうとする力に対しても対抗しうるように堅固に支持することができる。
【０１５４】
上記実施形態では、上記左右方向ガイド溝１２と上下方向ガイド溝１４と第１ガイドピン１３と第２ガイドピン１５とをユニット組立しているが、ユニット組立しなくても、左右方向ガイド溝１２と上下方向ガイド溝１４とを第１の筐体３のガイドプレート１６に一体に設け、第１ガイドピン１３と第２ガイドピン１５とを液晶表示部２背面に一体に設け、かしめ、締結等により、後付でスライド部１３ａ，１５ａを設けてもよい。
【０１５５】
上記実施形態では、ねじりコイルバネ２０によって、液晶表示部２を縦長状態と横長状態とのいずれの状態に切り換えるときでも付勢するように配置しているが、縦長状態又は横長状態になるときのみを優先して付勢するようにしてもよい。
【０１５６】
上記実施形態では、液晶表示部２の縦長状態及び横長状態における左右方向中央部を第１の筐体３の略左右方向中央に位置させているが、左右のいずれかにオフセットさせてもよい。
【０１５７】
上記実施形態では、表示部としての液晶表示部２は液晶ディスプレイ２ａを有しているとしたが、有機ＥＬディスプレイを有していてもよい。
【０１５８】
上記実施形態では、携帯端末は、携帯電話機としたが、ＰＣ、モバイルツール、電子辞書、電卓、複写機等であってもよい。また、ＰＨＳ、ＰＤＡなどの携帯通信機器であってもよい。
【０１５９】
なお、以上の実施形態は、本質的に好ましい例示であって、本発明、その適用物や用途の範囲を制限することを意図するものではない。
【図面の簡単な説明】
【０１６０】
【図１】折畳み状態にある本発明の実施形態にかかる折畳み式携帯電話機を示す斜視図である。
【図２】開いた状態で液晶表示部が縦長状態における折畳み式携帯電話機を示す斜視図である。
【図３】液晶表示部を縦長状態又は横長状態に切り換える途中の折畳み式携帯電話機を示す斜視図である。
【図４】開いた状態で液晶表示部が横長状態のとき折畳み式携帯電話機を示す斜視図である。
【図５】開いた状態で液晶表示部が縦長状態における折畳み式携帯電話機を背面側から見た斜視図である。
【図６】図５の分解斜視図である。
【図７】カム機構を背面側から見た斜視図である。
【図８】カム機構を表面側から見た斜視図である。
【図９】縦長状態のカム機構及びその周辺を示す正面図である。
【図１０】液晶表示部を縦長状態又は横長状態に切り換える途中の折畳み式携帯電話機を背面から見た分解斜視図である。
【図１１】切換過程のカム機構及びその周辺を示す正面図である。
【図１２】開いた状態で液晶表示部が横長状態のとき折畳み式携帯電話機を背面から見た分解斜視図である。
【図１３】横長状態のカム機構及びその周辺を示す正面図である。
【図１４】筐体側第１磁石の斜視図である。
【図１５】液晶側第１磁石の斜視図である。
【図１６】第１の筐体の下端側コーナー部の軌跡を示す説明図である。
【図１７】実施形態２にかかる携帯電話機の図６相当図である。
【図１８】実施形態２にかかる携帯電話機の図８相当図である。
【図１９】実施形態２にかかる携帯電話機の図１０相当図である。
【図２０】その他の実施形態にかかる図１６相当図である。
【符号の説明】
【０１６１】
１      折畳み式携帯電話機（折畳み式携帯端末）
２      液晶表示部（表示部）
３      第１の筐体
５      第２の筐体
６      ヒンジ部
１０      カム機構（支持機構）
３１      筐体側第１磁石
３２      筐体側第２磁石
３３      表示部側第１磁石
３４      表示部側第２磁石
３５      ゴムバンド（弾性部材）
【図１】
2008211447.tif 000003
【図２】
2008211447.tif 000004
【図３】
2008211447.tif 000005
【図４】
2008211447.tif 000006
【図５】
2008211447.tif 000007
【図６】
2008211447.tif 000008
【図７】
2008211447.tif 000009
【図８】
2008211447.tif 000010
【図９】
2008211447.tif 000011
【図１０】
2008211447.tif 000012
【図１１】
2008211447.tif 000013
【図１２】
2008211447.tif 000014
【図１３】
2008211447.tif 000015
【図１４】
2008211447.tif 000016
【図１５】
2008211447.tif 000017
【図１６】
2008211447.tif 000018
【図１７】
2008211447.tif 000019
【図１８】
2008211447.tif 000020
【図１９】
2008211447.tif 000021
【図２０】
2008211447.tif 000022